(57)【要約】【課題】ユーザが現在位置をより的確に把握することができるナビゲーション装置を実現する。【解決手段】ナビゲーション装置１は、測位されたナビゲーション装置１の現在位置が示される道路地図を表示部１３に表示することにあわせて、その表示画面に現在位置に対応する道路情報（例えば、道路名）と地域情報（例えば、地名）の何れか一方を表示するので、ユーザは、表示された道路地図とともに現在位置の道路情報または地域情報を確認することができることとなって、その現在位置をより的確に把握することが可能になる。【選択図】図１
2008286675.tif 000002
【特許請求の範囲】
【請求項１】
現在位置を測位する測位手段と、地図情報を記憶する地図情報記憶手段と、前記地図情報に関連した道路情報及び地域情報の少なくとも地域情報を記憶する地図関連情報記憶手段と、前記測位手段により測位された現在位置を前記地図情報記憶手段に記憶された地図情報とともに所定の表示部に表示させる地図表示制御手段と、を備えるナビゲーション装置において、
前記測位手段により測位された現在位置を、前記地図情報記憶手段に記憶された地図情報に対応付けるマップマッチングを行うマップマッチング制御手段と、
前記マップマッチング制御手段により、前記現在位置が対応付けられた前記地図情報の地点に関する道路情報が前記地図関連情報記憶手段に記憶されている場合、その道路情報を前記表示部に表示させる道路情報表示制御手段と、
前記マップマッチング制御手段により、前記現在位置が対応付けられた前記地図情報の地点に関する道路情報が前記地図関連情報記憶手段に記憶されていない場合、前記現在位置が対応付けられた前記地図情報の地点に関する前記地域情報を前記表示部に表示させる地域情報表示制御手段と、
を備えることを特徴とするナビゲーション装置。
【請求項２】
前記マップマッチング制御手段により、前記現在位置が対応付けられた前記地図情報の地点に対して、道路情報と地域情報がともに前記地図関連情報記憶手段に記憶されている場合、その道路情報と地域情報を交互に切り替えて前記表示部に表示させる情報切替表示制御手段を備えることを特徴とする請求項１に記載のナビゲーション装置。
【請求項３】
前記地域情報表示制御手段は、前記マップマッチング制御手段によって前記現在位置が対応付けられた前記地図情報の地点が道路でない場合に、前記現在位置が対応付けられた前記地図情報の地点に関する前記地域情報を前記表示部に表示させることを特徴とする請求項１又は２に記載のナビゲーション装置。
【請求項４】
現在位置を測位する測位手段と、地図情報を記憶する地図情報記憶手段と、前記地図情報に関連した道路情報及び地域情報の少なくとも地域情報を記憶する地図関連情報記憶手段と、前記測位手段により測位された現在位置を前記地図情報記憶手段に記憶された地図情報とともに所定の表示部に表示させる地図表示制御手段と、を備えるナビゲーション装置において、
前記測位手段により測位された現在位置を、前記地図情報記憶手段に記憶された地図情報に対応付けるマップマッチングを行うマップマッチング制御手段と、
前記マップマッチング制御手段により、前記現在位置が対応付けられた前記地図情報の地点に対して、道路情報と地域情報がともに前記地図関連情報記憶手段に記憶されている場合、その道路情報と地域情報を交互に切り替えて前記表示部に表示させる情報切替表示制御手段と、
前記マップマッチング制御手段により、前記現在位置が対応付けられた前記地図情報の地点に関する道路情報が前記地図関連情報記憶手段に記憶されていない場合および前記マップマッチング制御手段によって前記現在位置が対応付けられた前記地図情報の地点が道路でない場合に、前記現在位置が対応付けられた前記地図情報の地点に関する前記地域情報を前記表示部に表示させる地域情報表示制御手段と、
を備えることを特徴とするナビゲーション装置。
【発明の詳細な説明】
【技術分野】
【０００１】
本発明は、ナビゲーション装置に関する。
【背景技術】
【０００２】
従来、道路を走行する車両に搭載されたり、歩行するユーザに携帯されたりして、その車両やユーザの現在位置を測位するとともにその位置を地図とともに表示画面に表示するナビゲーション装置や携帯端末装置が知られている（例えば、特許文献１〜３参照。）。
【０００３】
また、ナビゲーション装置が現在位置を測位して得た位置情報と、所定の地図情報とを照合させる処理を行い、その位置情報が地図情報における道路地図の道路に対応付けられるマップマッチングが行われた場合に、ナビゲーション装置が搭載されている車両が走行している地点を示す道路名を表示画面に表示するナビゲーション装置が知られている。
そして、ナビゲーション装置の表示画面に表示される道路地図と道路名を、車両に乗ったユーザが確認することによって、その車両の現在位置を的確に認識することを可能にしている。
【特許文献１】特開２００４−３７６６４号公報
【特許文献２】特開２００３−２０７３４３号公報
【特許文献３】特開２００２−２５７５８２号公報
【発明の開示】
【発明が解決しようとする課題】
【０００４】
しかしながら、上記従来技術の場合、車両の走行地点が道路名のある国道や県道から、道路名がない市道や町道に移った際に、表示画面に道路名が表示されなくなることによって、ユーザが装置のマップマッチング処理に不具合が生じたのではないかと勘違いしてしまうことや、ユーザが現在位置を把握し難くなるなど、不都合が生じてしまうことがあるという問題があった。
【０００５】
本発明の目的は、ユーザが現在位置をより的確に把握することができるナビゲーション装置を提供することである。
【課題を解決するための手段】
【０００６】
以上の課題を解決するため、請求項１に記載の発明は、
現在位置を測位する測位手段と、地図情報を記憶する地図情報記憶手段と、前記地図情報に関連した道路情報及び地域情報の少なくとも地域情報を記憶する地図関連情報記憶手段と、前記測位手段により測位された現在位置を前記地図情報記憶手段に記憶された地図情報とともに所定の表示部に表示させる地図表示制御手段と、を備えるナビゲーション装置において、
前記測位手段により測位された現在位置を、前記地図情報記憶手段に記憶された地図情報に対応付けるマップマッチングを行うマップマッチング制御手段と、
前記マップマッチング制御手段により、前記現在位置が対応付けられた前記地図情報の地点に関する道路情報が前記地図関連情報記憶手段に記憶されている場合、その道路情報を前記表示部に表示させる道路情報表示制御手段と、
前記マップマッチング制御手段により、前記現在位置が対応付けられた前記地図情報の地点に関する道路情報が前記地図関連情報記憶手段に記憶されていない場合、前記現在位置が対応付けられた前記地図情報の地点に関する前記地域情報を前記表示部に表示させる地域情報表示制御手段と、
を備えることを特徴とする。
【０００７】
請求項２に記載に発明は、請求項１に記載のナビゲーション装置において、
前記マップマッチング制御手段により、前記現在位置が対応付けられた前記地図情報の地点に対して、道路情報と地域情報がともに前記地図関連情報記憶手段に記憶されている場合、その道路情報と地域情報を交互に切り替えて前記表示部に表示させる情報切替表示制御手段を備えることを特徴とする。
【０００８】
請求項３に記載の発明は、請求項１又は２に記載のナビゲーション装置において、
前記地域情報表示制御手段は、前記マップマッチング制御手段によって前記現在位置が対応付けられた前記地図情報の地点が道路でない場合に、前記現在位置が対応付けられた前記地図情報の地点に関する前記地域情報を前記表示部に表示させることを特徴とする。
【０００９】
請求項４に記載の発明は、
現在位置を測位する測位手段と、地図情報を記憶する地図情報記憶手段と、前記地図情報に関連した道路情報及び地域情報の少なくとも地域情報を記憶する地図関連情報記憶手段と、前記測位手段により測位された現在位置を前記地図情報記憶手段に記憶された地図情報とともに所定の表示部に表示させる地図表示制御手段と、を備えるナビゲーション装置において、
前記測位手段により測位された現在位置を、前記地図情報記憶手段に記憶された地図情報に対応付けるマップマッチングを行うマップマッチング制御手段と、
前記マップマッチング制御手段により、前記現在位置が対応付けられた前記地図情報の地点に対して、道路情報と地域情報がともに前記地図関連情報記憶手段に記憶されている場合、その道路情報と地域情報を交互に切り替えて前記表示部に表示させる情報切替表示制御手段と、
前記マップマッチング制御手段により、前記現在位置が対応付けられた前記地図情報の地点に関する道路情報が前記地図関連情報記憶手段に記憶されていない場合および前記マップマッチング制御手段によって前記現在位置が対応付けられた前記地図情報の地点が道路でない場合に、前記現在位置が対応付けられた前記地図情報の地点に関する前記地域情報を前記表示部に表示させる地域情報表示制御手段と、
を備えることを特徴とする。
【発明の効果】
【００１０】
本発明によれば、ナビゲーション装置は、ナビゲーション装置の現在位置を測位するとともに、当該ナビゲーション装置の現在位置を地図情報としての例えば道路地図に対応付けるマップマッチングを行い、その現在位置が対応付けられた地図情報の地点に関連付けられた道路情報がある場合、その道路情報としての例えば道路名を所定の表示部に表示させ、また、その現在位置が対応付けられた地図情報の地点に関連付けられた道路情報がない場合、その現在位置が対応付けられた地図情報の地点に関する地域情報としての例えば地名を所定の表示部に表示させることができる。
つまり、ナビゲーション装置は、測位された現在位置と所定の地図情報を表示部に表示することにあわせて、その表示画面に道路情報（例えば、道路名）と地域情報（例えば、地名）の何れか一方を表示することができるので、ユーザは、地図情報とともに、その地点の道路情報または地域情報を確認することができることとなって、ユーザの現在位置をより的確に把握することが可能になる。
【発明を実施するための最良の形態】
【００１１】
以下、図を参照して、本発明に係るナビゲーション装置の実施形態を詳細に説明する。なお、発明の範囲は、図示例に限定されない。
【００１２】
ナビゲーション装置１は、図１に示すように、ＣＰＵ（Central Processing Unit）１１と、ＧＰＳアンテナ１２と、表示部１３と、入力部１４と、電源部１５と、ＲＡＭ（Random Access Memory）１６と、記憶部１７等を備えている。また、上記各部はバス１０によって接続されている。
このナビゲーション装置１は、車両に着脱可能に構成されており、車両に搭載して使用することと、ユーザが携帯して使用することが可能なポータブル型のナビゲーション装置である。
【００１３】
ＣＰＵ１１は、記憶部１７に記憶されたナビゲーション装置用の各種処理プログラムに従って各種の制御動作を行う。
【００１４】
ＧＰＳアンテナ１２は、地球低軌道に打ち上げられた複数のＧＰＳ衛星から送信されるＧＰＳ信号（アルマナック（概略軌道情報）やエフェメリス（詳細軌道情報）など）を受信して、その受信したＧＰＳ信号をＣＰＵ１１に出力する。
【００１５】
表示部１３は、例えば、液晶表示機器等から構成され、ＣＰＵ１１から入力される表示信号に従って、各種画面を表示する。例えば、表示部１３は、地図情報に基づく道路地図や、地図上に示されるナビゲーション装置１の現在位置に対応する地点の道路名や地域名などを表示する。
【００１６】
入力部１４は、例えば、文字／数字キー、各種機能キー、表示部１３と一体的に設けられたタッチパネル等から構成され、ユーザにより操作されると、その操作に伴う押下信号をＣＰＵ１１に出力する。また、入力部１４は、例えば、リモートコントローラのように装置を遠隔操作可能な構成であってもよい。
【００１７】
電源部１５は、ナビゲーション装置１を構成する各部に電力を供給するためのものであり、例えば、主電源部１５１と、予備電源部１５２とを備えている。
主電源部１５１は、例えば、電気コード（図示省略）を介してナビゲーション装置１が設置された車両から供給される電力を、ナビゲーション装置１を構成する各部に供給する電源である。
予備電源部１５２は、例えば、バッテリ（図示省略）等の内部電池であって、車両における装置設置台（図示省略）からナビゲーション装置１が取り外された場合に、ナビゲーション装置１を構成する各部に電力を供給する電源である。
すなわち、例えば、ナビゲーション装置１が設置された車両のエンジンが起動している間は、主電源部１５１がナビゲーション装置１に電力を供給し、また、ナビゲーション装置１が設置台から取り外された際や、設置された車両のエンジンが起動していない間は、予備電源部１５２がナビゲーション装置１に電力を供給する。
【００１８】
ＲＡＭ１６は、例えば、ＣＰＵ１１により実行される処理プログラム等を展開するためのプログラム格納領域や、入力データや処理プログラムが実行される際に生じる処理結果等を格納するデータ格納領域などを備える。
【００１９】
記憶部１７は、例えば、ナビゲーション装置１で実行可能なシステムプログラム、そのシステムプログラムで実行可能な各種処理プログラム、これら各種処理プログラムを実行する際に使用されるデータ、ＣＰＵ１１により演算処理された処理結果のデータ等を記憶する。なお、プログラムは、コンピュータが読み取り可能なプログラムコードの形で記憶部１７に記憶されている。
具体的には、記憶部１７は、例えば、地図情報データベース１７ａと、道路情報データベース１７ｃと地域情報データベース１７ｄとからなる地図関連情報データベース１７ｂと、測位プログラム１７１と、マップマッチング制御プログラム１７２と、道路情報表示制御プログラム１７３と、地域情報表示制御プログラム１７４と、情報切替表示制御プログラム１７５と、地図表示制御プログラム１７６等を記憶している。
【００２０】
地図情報データベース１７ａは、地図情報記憶手段として機能し、所定の地域内（例えば、日本全土）を表現したカーナビゲーション用の道路地図などの地図情報を記憶する。
地図関連情報データベース１７ｂは、地図関連情報記憶手段として機能し、地図情報データベース１７ａの地図情報の道路地図に含まれる範囲に関連する情報を記憶するデータベースであって、その地図情報に関連する道路情報を記憶する道路情報データベース１７ｃと、その地図情報に関連する地域情報を記憶する地域情報データベース１７ｄとを有している。
具体的には、道路情報データベース１７ｃは、地図情報の道路地図に含まれる道路情報として、道路地図上の国道名や県道名、街道名などの道路名を記憶する。
また、地域情報データベース１７ｄは、地図情報の道路地図に関する情報として、道路地図上の地名や住所、ランドマークとなる建物やエリアなど、その地域を特定するための地域情報を記憶する。
なお、地域情報データベース１７ｄには、地図情報の道路地図における任意の地点に対して何れかの地域情報が対応するように様々な地域情報が記憶されている。一方、道路情報データベース１７ｃには、地図情報の道路地図における全ての道路の道路名は記憶されておらず、例えば、道路名がない市道や町道などに関する道路情報は記憶されていない。つまり、地図関連情報データベース１７ｂは、地図情報に関連した道路情報及び地域情報のうち少なくとも地域情報を記憶している。
【００２１】
測位プログラム１７１は、ＧＰＳアンテナ１２から出力されたＧＰＳ信号に基づいて、ナビゲーション装置１が設置されている車両や、ナビゲーション装置１を所持するユーザの２次元的な現在位置（緯度、経度）を測位する機能をＣＰＵ１１に実現させるプログラムである。
つまり、ＣＰＵ１１が測位プログラム１７１を実行することによって、ナビゲーション装置１の現在位置を測位する測位手段として機能する。なお、ＧＰＳアンテナ１２は測位手段の一部として機能する。
【００２２】
マップマッチング制御プログラム１７２は、測位手段としてのＣＰＵ１１により測位されたナビゲーション装置１の現在位置を、地図情報データベース１７ａに記憶された地図情報に対応付けるマップマッチングを行う機能をＣＰＵ１１に実現させるプログラムである。
つまり、ＣＰＵ１１がマップマッチング制御プログラム１７２を実行することにより、ナビゲーション装置１が設置されている車両の現在位置や、ナビゲーション装置１を携帯しているユーザの現在位置を、地図情報に照合してそのナビゲーション装置１の地図情報に対応する道路地図上にマッチングさせるマップマッチング制御手段として機能する。
そして、例えば、マップマッチング制御手段としてのＣＰＵ１１によって道路地図上にマッチングされた車両の現在位置やユーザの現在位置を表す指標（マーク）Ｍが道路地図上に示された地図画面が表示部１３に表示されるようになっている。
【００２３】
なお、本発明におけるマップマッチング制御手段としてのＣＰＵ１１は、ナビゲーション装置１の現在位置を道路地図の道路上に対してマップマッチングさせるものではなく、道路地図上の任意の地点にナビゲーション装置１の現在位置を対応つけるマップマッチングを行うことを可能にしており、道路ではない駐車場やグラウンド、河川敷や公園などの地点に対してもマップマッチングを行い、例えば、ナビゲーション装置１を携帯しているユーザの現在位置が道路から外れた場合でも、その現在位置が地図上にマッチングされるようになっている。
【００２４】
道路情報表示制御プログラム１７３は、マップマッチング制御手段としてのＣＰＵ１１によりナビゲーション装置１の現在位置が対応付けられた地図情報の地点に関する道路情報が地図関連情報データベース１７ｂの道路情報データベース１７ｃに記憶されている場合、その道路情報を表示部１３に表示させる機能をＣＰＵ１１に実現させるプログラムである。
つまり、ＣＰＵ１１が道路情報表示制御プログラム１７３を実行することによって、ナビゲーション装置１の現在位置が対応付けられた地図情報の地点に関する道路情報としての道路名を表示部１３に表示させる道路情報表示制御手段として機能する。
具体的には、道路情報表示制御手段としてのＣＰＵ１１は、マップマッチング制御手段としてのＣＰＵ１１により道路地図上にマッチングされた車両の現在位置やユーザの現在位置に対応する道路の道路名を表示部１３に表示する。これにより、ユーザはユーザ自身の現在位置を地図画面とともに表示される道路名を参照して確認することが可能になる。
【００２５】
地域情報表示制御プログラム１７４は、マップマッチング制御手段としてのＣＰＵ１１によりナビゲーション装置１の現在位置が対応付けられた地図情報の地点に関する道路情報が地図関連情報データベース１７ｂの道路情報データベース１７ｃに記憶されていない場合、現在位置が対応付けられた地図情報の地点に関する地域情報を表示部１３に表示させる機能をＣＰＵ１１に実現させるプログラムである。
つまり、ＣＰＵ１１が地域情報表示制御プログラム１７４を実行することによって、ナビゲーション装置１の現在位置が対応付けられた地図情報の地点に関する地域情報としての地名や住所などを表示部１３に表示させる地域情報表示制御手段として機能する。
具体的には、地域情報表示制御手段としてのＣＰＵ１１は、マップマッチング制御手段としてのＣＰＵ１１により道路地図上にマッチングされた車両の現在位置やユーザの現在位置に対応する道路の道路名を表示部１３に表示できない場合に、その現在位置に対応する地名や住所などの文字情報を表示部１３に表示する。これにより、ユーザはユーザ自身の現在位置を地図画面とともに表示される地名や住所などの文字情報を参照して確認することが可能になる。
【００２６】
また、地域情報表示制御手段としてのＣＰＵ１１は、マップマッチング制御手段としてのＣＰＵ１１によりナビゲーション装置１の現在位置が対応付けられた地図情報の地点が道路でない場合に、その現在位置が対応付けられた地図情報の地点に関する地域情報を表示部１３に表示させる機能も有している。
つまり、地域情報表示制御手段としてのＣＰＵ１１は、マップマッチング制御手段としてのＣＰＵ１１によりナビゲーション装置１の現在位置が対応付けられた地図情報の地点が道路でない場合であって、その地点に関する道路情報が地図関連情報データベース１７ｂ（道路情報データベース１７ｃ）に記憶されていない場合に、その現在位置が対応付けられた地図情報の地点に関する地域情報（例えば、地名や住所などの文字情報）を表示部１３に表示する。
【００２７】
情報切替表示制御プログラム１７５は、マップマッチング制御手段としてのＣＰＵ１１によって、ナビゲーション装置１の現在位置が対応付けられた地図情報の地点に対して、道路情報と地域情報がともに地図関連情報データベース１７ｂ（道路情報データベース１７ｃ、地域情報データベース１７ｄ）に記憶されている場合に、その道路情報と地域情報を交互に切り替えて表示部１３に表示させる機能をＣＰＵ１１に実現させるプログラムである。
つまり、ＣＰＵ１１が情報切替表示制御プログラム１７５を実行することによって、ナビゲーション装置１の現在位置が対応付けられた地図情報の地点に関する道路情報と地域情報を所定のタイミング毎に切り替えて表示部１３に表示させる情報切替表示制御手段として機能する。
具体的には、情報切替表示制御手段としてのＣＰＵ１１は、マップマッチング制御手段としてのＣＰＵ１１により道路地図上にマッチングされた車両の現在位置やユーザの現在位置に対応する道路名の文字情報と、地名や住所などの文字情報とを、例えば１０秒毎に切り替えて表示部１３に表示する。これにより、ユーザはユーザ自身の現在位置を地図画面とともに表示される道路名の文字情報や、地名や住所などの文字情報を参照して確認することが可能になる。
【００２８】
なお、この情報切替表示制御プログラム１７５は、道路情報表示制御プログラム１７３と地域情報表示制御プログラム１７４とが実行されない場合に実行されるべきプログラムである。つまり、ナビゲーション装置１の現在位置が対応付けられた地図情報の地点に対して、道路情報と地域情報が両方記憶されている場合に、道路情報と地域情報を交互に両方表示するか、道路情報を優先して道路情報のみを表示するかなど、入力部１４の操作などによって選択設定された表示条件に応じて、情報切替表示制御プログラム１７５を実行するか、道路情報表示制御プログラム１７３や地域情報表示制御プログラム１７４を実行するかなどが切り替えられて、その表示形態が切り替えられるようになっている。
【００２９】
地図表示制御プログラム１７６は、例えば、測位プログラム１７１を実行したＣＰＵ１１により測位された現在位置を、地図情報データベース１７ａに記憶された地図情報とともに表示部１３に表示させる機能をＣＰＵ１１に実現させるプログラムである。
つまり、ＣＰＵ１１が地図表示制御プログラム１７６を実行することによって、地図表示制御手段として機能する。
具体的には、地図表示制御手段としてのＣＰＵ１１は、マップマッチング制御手段としてのＣＰＵ１１によって道路地図上にマッチングされた車両の現在位置やユーザの現在位置を表す指標（マーク）Ｍを、道路地図上に示した地図画面を表示部１３に表示する。
【００３０】
次に、ナビゲーション装置１における表示処理について、図２に示すフローチャートに基づき説明する。
【００３１】
まず、ナビゲーション装置１における入力部１４のメインスイッチ（図示省略）がオンされて、電源部１５から電力が供給されることに伴い、ナビゲーション装置１が起動する（ステップＳ１０１）。
【００３２】
次いで、ＣＰＵ１１は、ナビゲーション装置１の現在位置を測位するとともに、ナビゲーション装置１の現在位置を、地図情報データベース１７ａに記憶された地図情報の道路地図に対応付けるマップマッチングを行う（ステップＳ１０２）。
【００３３】
次いで、ＣＰＵ１１は、ナビゲーション装置１の現在位置が対応付けられた道路地図の地点に関する道路情報が地図関連情報データベース１７ｂの道路情報データベース１７ｃに記憶されているか否かを判断する（ステップＳ１０３）。
【００３４】
ＣＰＵ１１が、ナビゲーション装置１の現在位置が対応付けられた道路地図の地点が道路上であって、その対応付けられた地点である道路に道路情報である道路名が関連付けられて道路情報データベース１７ｃに記憶されていると判断すると（ステップＳ１０３；Ｙｅｓ）、ＣＰＵ１１は道路情報表示制御プログラム１７３を実行して、表示部１３の表示画面に、例えば、図３に示すような地図画面を表示し、その画面における情報表示領域Ｒに道路名の文字情報を表示する（ステップＳ１０４）。
具体的には、例えば、ナビゲーション装置１を搭載した車両が国道２４６号を走行中である場合、図３に示すように、表示部１３の表示画面には、ナビゲーション装置１の現在位置がマップマッチングされた道路地図の国道２４６号上に、車両の位置を表すマークＭが表示されるとともに、情報表示領域Ｒに「国道２４６号」と道路名が表示される。
そして、ステップＳ１０２に戻り、ナビゲーションに関する画面表示処理を継続する。
【００３５】
一方、ナビゲーション装置１の現在位置が対応付けられた道路地図の地点が道路でない場合や、その対応付けられた地点に道路情報である道路名が関連付けられておらず道路情報データベース１７ｃに道路情報が記憶されていないと判断すると（ステップＳ１０３；Ｎｏ）、ＣＰＵ１１は地域情報表示制御プログラム１７４を実行して、表示部１３の表示画面に、例えば、図４に示すような地図画面を表示し、その画面における情報表示領域Ｒに、地域情報データベース１７ｄから抽出した地域情報である地名の文字情報を表示する（ステップＳ１０５）。
具体的には、例えば、ナビゲーション装置１を搭載した車両が道路名のない町道を走行中である場合、図４に示すように、表示部１３の表示画面には、ナビゲーション装置１の現在位置がマップマッチングされた道路地図の道路上に、車両の位置を表すマークＭが表示されるとともに、情報表示領域Ｒに「ＡＢＣ町付近」と地域情報が表示される。なお、地域情報としては地名や住所の他に「ＤＥ公園付近」、「ＦＧ駅付近」、「高速道路ＨＩランプ付近」など、地域を特定しやすい様々なランドマークなどに関する情報が表示されるようになっている。
そして、ステップＳ１０２に戻り、ナビゲーションに関する画面表示処理を継続する。
【００３６】
以上のように、ナビゲーション装置１は、ナビゲーション装置１を搭載した車両や、ナビゲーション装置１を携帯したユーザの現在位置を表すマークＭを道路地図上に示して表示部１３の表示画面に表示するとともに、その表示画面の情報表示領域Ｒに、道路情報としての道路名の文字情報と、地域情報としての地名などの文字情報の何れか一方を必ず表示することができるので、ユーザは、現在位置が示される道路地図とともに、その地点の道路名または地名を確認することができることとなって、ユーザの現在位置をより的確に把握することが可能になる。
【００３７】
また、表示部１３の表示画面における情報表示領域Ｒには、道路情報としての道路名の文字情報と、地域情報としての地名などの文字情報の何れか一方が必ず表示されるため、情報表示領域Ｒが空欄になったり、情報表示領域Ｒが表示されなかったりするようなことがないので、ナビゲーション装置１のマップマッチング処理や表示処理に不具合が生じてしまったものとユーザが勘違いしてしまうようなことがなくなる。
また、表示部１３の表示画面における情報表示領域Ｒには、道路情報としての道路名の文字情報と、地域情報としての地名などの文字情報の何れか一方を表示するようにして、それら２つの情報をともに表示することはないので、情報表示領域Ｒの範囲が大きくなり過ぎることはなく、例えば、大きな情報表示領域Ｒによって、道路地図の表示領域が小さく狭くなってしまうことはない。
【００３８】
なお、本発明は上記実施形態に限られるものではない。
例えば、ＣＰＵ１１が情報切替表示制御プログラム１７５を実行した場合のステップＳ１０３において、ナビゲーション装置１の現在位置が対応付けられた道路地図の地点に道路情報である道路名が関連付けられて道路情報データベース１７ｃに記憶されていると判断した場合（ステップＳ１０３；Ｙｅｓ）、ナビゲーション装置１の現在位置が対応付けられた地図情報の地点に関する道路情報である道路名を道路情報データベース１７ｃから抽出し、また、ナビゲーション装置１の現在位置が対応付けられた地図情報の地点に関する地域情報である地名などを地域情報データベース１７ｄから抽出して、道路名の文字情報と地名などの文字情報を表示部１３の表示画面における情報表示領域Ｒに所定のタイミング毎に切り替えて表示させる（ステップＳ１０４）ようにしてもよい。
これにより、ユーザは現在位置の道路名とともに、地名などの地域情報も合わせて知ることができるので、ユーザが現在位置をより一層的確に把握することが可能になる。
【００３９】
なお、本発明の適用は上述した実施形態に限定されることなく、本発明の趣旨を逸脱しない範囲で適宜変更可能である。
【図面の簡単な説明】
【００４０】
【図１】本発明に係るナビゲーション装置の要部構成を示すブロック図である。
【図２】ナビゲーション装置における表示処理を示すフローチャートである。
【図３】ナビゲーション装置の表示部における表示画面の一例を示す説明図である。
【図４】ナビゲーション装置の表示部における表示画面の一例を示す説明図である。
【符号の説明】
【００４１】
１      ナビゲーション装置
１１    ＣＰＵ（測位手段、マップマッチング制御手段、道路情報表示制御手段、地域情報表示制御手段、情報切替表示制御手段、地図表示制御手段）
１２    ＧＰＳアンテナ（測位手段）
１３    表示部
１４    入力部
１５    電源部
１６    ＲＡＭ
１７    記憶部
１７ａ  地図情報データベース（地図情報記憶手段）
１７ｂ  地図関連情報データベース（地図関連情報記憶手段）
１７ｃ  道路情報データベース
１７ｄ  地域情報データベース
１７１  測位プログラム
１７２  マップマッチング制御プログラム
１７３  地図情報表示制御プログラム
１７４  地域情報表示制御プログラム
１７５  情報切替表示制御プログラム
１７６  地図表示制御プログラム
【図１】
2008286675.tif 000003
【図２】
2008286675.tif 000004
【図３】
2008286675.tif 000005
【図４】
2008286675.tif 000006